(57)【要約】【課題】既設の屋根材固定ボルトが錆びていても簡単な取付作業で確実に取付固定でき、取付強度を大幅に高めることができる屋根補修用金具と、この金具を用いた屋根補修構造を提供する。【解決手段】ボルト挿通孔２ｅとネジ挿通孔２ｆを有する支持金具２と、開口３ｂとネジ孔３ｃを有し且つ開口３ｂの口縁から中心部上方に向かって斜めに突き出す複数のかしめ片３ｄを形成した座金３と、複数本の座金引き上げ用ネジ５と、支持金具２の被係合部２ｃに上方から係合する係合部６ｂを有する補助金具６を具備した屋根補修用金具１とする。座金３の開口３ｂと支持金具２のボルト挿通孔２ｅに既設の屋根材固定ボルト７を挿通し、座金引き上げ用ネジ５で座金３を引き上げ、かしめ片３ｄをかしめて屋根材固定ボルト６を外側から押圧し、係合部６ｂで支持金具２の浮上を阻止して強固に取付けた屋根補修構造とする。【選択図】図１
2008274591.tif 000002
【特許請求の範囲】
【請求項１】
既設の波形屋根材の上に新たな屋根材を張り付けるための母屋材を支持する屋根補修用金具であって、
既設の波形屋根材から上方へ突出している屋根材固定ボルトを挿通するボルト挿通孔と座金引き上げ用ネジを挿通する複数のネジ挿通孔が形成された母屋材支持板と、この母屋材支持板の両側端から下方へ折り曲げられて形成された一対の脚板とからなる支持金具と、
屋根材固定ボルトを挿通する開口と座金引き上げ用ネジをねじ込む複数のネジ孔が形成され、開口の口縁部から中心部上方に向かって斜めに突き出す複数のかしめ片が、屋根材固定ボルトのネジ山径よりもわずかに大きいかしめ片先端間の間隔を有するように形成された座金と、
支持金具のネジ挿通孔から座金のネジ孔にねじ込んで座金を引き上げる複数本の座金引き上げ用ネジと、
屋根材固定ボルトに螺合された締付ナットの下側のワッシャと既設の波形屋根材との隙間に挿入され、この挿入部分に屋根材固定ボルトを導入する切欠部が形成された補助金具とを具備し、
上記支持金具に被係合部が形成されると共に、この被係合部に上方から係合する係合部が上記補助金具に形成されていることを特徴とする屋根補修用金具。
【請求項２】
支持金具と座金との間に介在される副座金であって、屋根材固定ボルトを挿通する開口の口縁部から中心部上方に向かって斜めに突き出す複数のかしめ片が、屋根材固定ボルトのネジ山径よりもわずかに大きいかしめ片先端間の間隔を有するように形成された副座金を、更に具備した請求項１に記載の屋根補修用金具。
【請求項３】
開口の口縁部から中心部上方に向かって４つのかしめ片が斜めに突き出している請求項１又は請求項２に記載の屋根補修用金具。
【請求項４】
かしめ片の先端側の傾斜角が徐々に小さくなるように、かしめ片の先端側が湾曲している請求項１ないし請求項３のいずれかに記載の屋根補修用金具。
【請求項５】
支持金具の一対の脚板の下端に、被係合部として、内側斜め上方に屈曲する被係合縁が形成され、補助金具の両側端に、係合部として、外側斜め下方に屈曲して上記被係合縁に上方から係合する係合縁が形成されている請求項１ないし請求項４のいずれかに記載の屋根補修用金具。
【請求項６】
支持金具の一対の脚板に、被係合部として、切欠溝が形成され、補助金具の両側端に、係合部として、上記切欠溝に上方から係合するコ字形または鉤形の断面形状を備えた係合耳縁が形成されている請求項１ないし請求項４のいずれかに記載の屋根補修用金具。
【請求項７】
請求項１に記載の屋根補修用金具を用いた屋根補修構造であって、座金の開口に既設の波形屋根材から上方へ突出している屋根材固定ボルトが挿通され、その上から被せられた支持金具のボルト挿通孔に屋根材固定ボルトが挿通されて、支持金具の脚板が既設の波形屋根材の谷部に載置され、支持金具の複数のネジ挿通孔から座金の複数のネジ孔にそれぞれねじ込まれた複数本の座金引き上げ用ネジによって引き上げられた座金の複数のかしめ片が、支持金具の母屋材支持板の下面に圧接して座金の開口の中心部の方にかしめられ、各かしめ片の先端で屋根材固定ボルトが外側から押圧される一方、屋根材固定ボルトに螺合された締付ナットの下側のワッシャと既設の波形屋根材との隙間に補助金具が挿入され、その切欠部に屋根材固定ボルトが導入されると共に、補助金具の係合部が支持金具の被係合部に上方から係合することによって、屋根補修用金具が取付固定されており、この屋根補修用金具の支持金具の母屋材支持板に、新たな屋根材を張り付けるための母屋材が取付けられていることを特徴とする屋根補修構造。
【請求項８】
請求項２に記載の副座金が支持金具と座金との間に介在されて、屋根材固定ボルトが副座金の開口に挿通され、副座金の複数のかしめ片も開口の中心部の方にかしめられて、各かしめ片の先端で屋根材固定ボルトが外側から押圧されている請求項７に記載の屋根補修構造。
【発明の詳細な説明】
【技術分野】
【０００１】
本発明は、老朽化が進んだ工場などの波形屋根材の上に新たな屋根材を張り付けるための屋根補修用金具と、この金具を用いた屋根補修構造に関する。
【背景技術】
【０００２】
戦後、工場などの建物の屋根材として、安価で耐火性、耐水性、耐久性に優れる、石綿にセメントを混ぜ込んだ波形スレート板などが使用されてきたが、それらの老朽化に伴い雨漏りなどの補修を行う必要が生じてきた。既存の波形スレート板を張り替える補修は、工場の業務を停止して行う必要があるため、通常は、既存の波形スレート板をそのまま残して、その上に新たに波板や折版などの屋根材を張り付ける補修方法が採用されている。
【０００３】
周知のように、波形スレート板には人体に悪影響を及ぼすアスベストが含有されており、波形スレート板を切断したり孔を開けたりする必要がある補修方法は、粉塵が工場内に飛散、落下する恐れがあるので好ましくない。このような事情から、既設の波形スレート板の山部を覆う座面部と、該座面部の左右両端から下方へ延びる脚部を一体に備え、該座面部の左右中間部に段差を設けて高段座面部と下段座面部を形成すると共に、下段座面部に貫通孔を設けたクランプ金具を使用し、このクランプ金具を既設の波形スレート板にその山部を跨ぐように設置して、該山部から突出する既設のフックボルトの上端を下段座面部の貫通孔に挿入し、リング状で内周から複数の板バネの爪が中心方向へ突出する板バネナットをフックボルトに嵌め込んで爪の先端をフックボルトのネジ溝に係止させることにより、クランプ金具を波形スレート板に固定し、その高段座面部に屋根下地材を架設して金属製の屋根板を取付ける屋根補修工法が既に提案されている（特許文献１）。
【０００４】
また、波形スレート屋根を母屋に固定する既設のフックボルト上部の座金と波形スレート屋根との間に、スリットを有した板形状の割りピン金具を挿入し、Ｃ型綱を支持する連結金具を、上記割りピン金具と係合させることでフックボルトに固定する新設屋根取付け具も提案されている（特許文献２）。
【特許文献１】特開２００４−１００２３９号公報
【特許文献２】特開２００５−４８５１６号公報
【発明の開示】
【発明が解決しようとする課題】
【０００５】
しかしながら、上記特許文献１の屋根補修工法は、板バネナットをフックボルトに嵌め込んで爪の先端をフックボルトのネジ溝に係止させることにより、板バネナットでクランプ金具を押圧固定しているため、例えば、フックボルトが錆びてネジ山やネジ溝がつぶれかけているような場合には、板バネナットの爪をネジ溝に確実に係止させてクランプ金具を強固に固定することが難しい。そのため、新しい屋根板に風圧等が作用すると、クランプ金具がガタついたり、最悪の場合には、クランプ金具がフックボルトから外れて屋根板が捲れるという問題があった。
【０００６】
また、上記特許文献２の新設屋根取付け具は、既存のボルトに螺合されているナットを緩めたり締め付けたりする必要はないけれども、割りピンが、フックボルト上部の座金と波形スレート屋根との間に挿入するだけで取付けられており、Ｃ型綱を支持する連結金具が、該金具の脚部に形成された折り曲げ先端部分を割りピン金具の両端部に係合させるだけで取付けられているため、取付安定性に欠け、取付強度も十分とはいえないという問題があった。
【０００７】
本発明は上記事情の下になされたもので、その解決しようとする課題は、フックボルト等の既設の屋根材固定ボルトが錆びていても簡単な取付作業で確実に取付固定でき、しかも、取付強度を大幅に向上させることができる屋根補修用金具と、この金具を用いた屋根補修構造を提供することにある。
【課題を解決するための手段】
【０００８】
上記課題を解決するため、本発明に係る屋根補修用金具は、既設の波形屋根材の上に新たな屋根材を張り付けるための母屋材を支持する屋根補修用金具であって、（１）既設の波形屋根材から上方へ突出している屋根材固定ボルトを挿通するボルト挿通孔と座金引き上げ用ネジを挿通する複数のネジ挿通孔が形成された母屋材支持板と、この母屋材支持板の両側端から下方へ折り曲げられて形成された一対の脚板とからなる支持金具と、（２）屋根材固定ボルトを挿通する開口と座金引き上げ用ネジをねじ込む複数のネジ孔が形成され、開口の口縁部から中心部上方に向かって斜めに突き出す複数のかしめ片が、屋根材固定ボルトのネジ山径よりもわずかに大きいかしめ片先端間の間隔を有するように形成された座金と、（３）支持金具のネジ挿通孔から座金のネジ孔にねじ込んで座金を引き上げる複数本の座金引き上げ用ネジと、（４）屋根材固定ボルトに螺合された締付ナットの下側のワッシャと既設の波形屋根材との隙間に挿入され、この挿入部分に屋根材固定ボルトを導入する切欠部が形成された補助金具とを具備し、上記支持金具に被係合部が形成されると共に、この被係合部に上方から係合する係合部が上記補助金具に形成されていることを特徴とするものである。ここに「座金引き上げ用ネジ」とは、六角ボルトなどのボルトをも包含する用語であり、頭部に十字溝その他のドライバー係合溝を設けたネジに限定されるものではない。
【０００９】
本発明の屋根補修用金具においては、支持金具と座金との間に介在される副座金であって、屋根材固定ボルトを挿通する開口の口縁部から中心部上方に向かって斜めに突き出す複数のかしめ片が、屋根材固定ボルトのネジ山径よりもわずかに大きいかしめ片先端間の間隔を有するように形成された副座金を、更に具備していることが好ましい。そして、開口の口縁部から中心部上方に向かって４つのかしめ片が斜めに突き出していること、及び、かしめ片の先端側の傾斜角が徐々に小さくなるように、かしめ片の先端側が湾曲していることが好ましい。
【００１０】
また、本発明の屋根補修用金具においては、支持金具の一対の脚板の下端に、被係合部として、内側斜め上方に屈曲する被係合縁が形成され、補助金具の両側端に、係合部として、外側斜め下方に屈曲して上記被係合縁に上方から係合する係合縁が形成されていること、或いは、支持金具の一対の脚板に、被係合部として、切欠溝が形成され、補助金具の両側端に、係合部として、上記切欠溝に上方から係合するコ字形または鉤形の断面形状を備えた係合耳縁が形成されていることが好ましい。
【００１１】
次に、本発明に係る屋根補修構造は、上記の本発明の屋根補修用金具を用いた屋根補修構造であって、座金の開口に既設の波形屋根材から上方へ突出している屋根材固定ボルトが挿通され、その上から被せられた支持金具のボルト挿通孔に屋根材固定ボルトが挿通されて、支持金具の脚板が既設の波形屋根材の谷部に載置され、支持金具の複数のネジ挿通孔から座金の複数のネジ孔にそれぞれねじ込まれた複数本の座金引き上げ用ネジによって引き上げられた座金の複数のかしめ片が、支持金具の母屋材支持板の下面に圧接して座金の開口の中心部の方にかしめられ、各かしめ片の先端で屋根材固定ボルトが外側から押圧される一方、屋根材固定ボルトに螺合された締付ナットの下側のワッシャと既設の波形屋根材との隙間に補助金具が挿入され、その切欠部に屋根材固定ボルトが導入されると共に、補助金具の係合部が支持金具の被係合部に上方から係合することによって、屋根補修用金具が取付固定されており、この屋根補修用金具の支持金具の母屋材支持板に、新たな屋根材を張り付けるための母屋材が取付けられていることを特徴とするものである。
【００１２】
本発明の屋根補修構造においては、前記の副座金が支持金具と座金との間に介在されて、屋根材固定ボルトが副座金の開口に挿通され、副座金の複数のかしめ片も開口の中心部の方にかしめられて、各かしめ片の先端が屋根材固定ボルトを外側から押圧していることが好ましい。
【発明の効果】
【００１３】
本発明の屋根補修用金具は、次の要領で取付固定されて使用される。即ち、既設の波形屋根材から上方へ突出している屋根材固定ボルトを座金の開口に挿通し、その上から支持金具を被せてそのボルト挿通孔に屋根材固定ボルトを挿通すると共に、支持金具の脚板を既設の波形屋根材の谷部に載置する。次いで、支持金具の複数のネジ挿通孔から座金の複数のネジ孔に複数本の座金引き上げ用ネジをそれぞれねじ込んで座金を引き上げ、座金の複数のかしめ片を支持金具の母屋材支持板の下面に圧接させて座金の開口の中心部の方にかしめることにより、各かしめ片の先端を屋根材固定ボルトに外側から押圧させて強固に屋根補修用金具を取付固定する。そして、屋根材固定ボルトに螺合された締付ナットの下側のワッシャと既設の波形屋根材との隙間に補助金具を挿入し、補助金具の切欠部に屋根材固定ボルトを導入すると共に、補助金具の係合部を支持金具の被係合部に上方から係合させることによって、屋根補修用金具の取付強度を更に向上させ、この屋根補修用金具の支持金具の母屋材支持板に、新たな屋根材を張り付けるための母屋材を取付ける。
【００１４】
このように、本発明の屋根補修用金具は、座金の各かしめ片を開口の中心部の方にかしめて既設の屋根材固定ボルトを外側から押圧して取付けるため、屋根材固定ボルトが錆びてネジ山やネジ溝がつぶれかけているような場合でも、確実かつ強固に取付けることができ、更に、既設の波形屋根材とワッシャとの隙間に挿入した補助金具の係合部を支持金具の被係合部に上方から係合させることによって、屋根補修用金具の取付強度を更に高めているため、支持金具の母屋材支持板に母屋材を介して取付けられた新たな屋根材に風圧等が作用しても、屋根補修用金具がガタついたり、屋根材固定ボルトから外れたりする心配が解消される。しかも、本発明の屋根補修用金具は、座金引き上げ用ネジを座金のネジ孔にねじ込む作業と、補助金具を既設の波形屋根材とワッシャとの隙間に挿入する作業を行うだけで簡単に取付けることができ、座金引き上げ用ネジをねじ込めばねじ込むほど、座金のかしめ片が開口の中心部の方へ大きくかしめられて屋根材固定ボルトを強く押圧し、強固に取付固定される利点がある。
【００１５】
そして、前記の副座金を更に具備した屋根補修用金具は、座金のかしめ片に加えて、この副座金のかしめ片も開口の中心部の方へかしめられて屋根材固定ボルトを外側から強く押圧するので、固定強度が更に向上する利点がある。特に、座金や副座金の開口の口縁部から中心部上方に向かって４つのかしめ片が斜めに突き出している屋根補修用金具は、２つ又は３つのかしめ片が突き出したものよりも、容易にかしめ片をかしめることができ、しかも、５つ以上のかしめ片が突き出したものよりも、強く屋根材固定ボルトを押圧できる利点がある。また、かしめ片の先端側の傾斜角が徐々に小さくなるように、かしめ片の先端側が湾曲している屋根補修用金具は、かしめ片の先端が屋根材固定ボルトを略直角に押圧するため、取付強度を一層向上させることができる利点がある。
【００１６】
更に、支持金具の一対の脚板の下端に、被係合部として、内側斜め上方に屈曲する被係合縁が形成され、補助金具の両側端に、係合部として、外側斜め下方に屈曲して上記被係合縁に上方から係合する係合縁が形成されている屋根補修用金具や、支持金具の一対の脚部に、被係合部として、切欠溝が形成され、補助金具の両側端に、係合部として、上記切欠溝に上方から係合するコ字形または鉤形の断面形状を備えた係合耳縁が形成されている屋根補修用金具は、支持金具の被係合縁と補助金具の係合縁、及び、支持金具の切欠溝と補助金具の係合耳縁が、互いに外れないように確実に係合して支持金具の浮上を阻止するため、屋根補修用金具の取付強度がより一層向上し、屋根材固定ボルトから屋根補修用金具が外れる心配を確実に解消することができる。
【００１７】
そして、本発明の屋根補修用金具を前記の要領で取付けて、その支持金具の母屋材支持面に新たな屋根材を張り付けるための母屋材を取付けた本発明の屋根補修構造は、既述したように屋根補修用金具の取付強度が大きいため、母屋材に張り付ける新たな屋根材に風圧等が作用しても、屋根補修用金具がガタついたり、屋根補修用金具が屋根材固定ボルトから外れて新たな屋根材が捲れたりする心配を解消することができ、また、屋根補修用金具の取付作業が容易であるから施工性も向上するといった効果を奏する。
【発明を実施するための最良の形態】
【００１８】
以下、図面を参照して本発明の具体的な実施形態を詳述する。
【００１９】
図１は本発明の一実施形態に係る屋根補修用金具の分解斜視図、図２は座金引き上げ用ネジをねじ込む前の同屋根補修用金具の取付状態を示す断面図、図３は座金引き上げ用ネジをねじ込んで同屋根補修用金具を取付固定した状態を示す断面図、図４は同屋根補修用金具を用いた本発明の屋根補修構造を示す断面図である。
【００２０】
この屋根補修用金具１は、図４に示すように、既設の波形スレート板などの波形屋根材８の上に新たな屋根材９を張り付けるための母屋材１０を取付けるものであって、図１に示すように、支持金具２と、座金３と、副座金４と、２本の座金引き上げ用ネジ５，５と、補強金具６とで構成されている。尚、この実施形態の屋根補修用金具１においては、座金引き上げ用ネジ５として六角ボルトが使用されている。
【００２１】
支持金具２は、図１，図４に示すように、母屋材１０を支持する母屋材支持板２ａと、既設の波形屋根材８の山部８ａを跨いでその両側の谷部８ｂ，８ｂに載置される左右一対の脚板２ｂ，２ｂを一体に形成したもので、この脚板２ｂ，２ｂの下端には、後述する補助金具６の係合部を係合させる被係合部として、内側斜め上方に屈曲する被係合縁２ｃ，２ｃが形成されている。この被係合縁２ｃ，２ｃは位置決めの役目を兼ね備えたものであり、図２〜図４に示すように支持金具２の脚板２ｂ，２ｂを波形屋根材８の谷部８ｂ，８ｂに載置すると、被係合縁２ｃ，２ｃが波形屋根材８の斜面に当接して、支持金具２が左右に動かないように位置決めされるようになっている。
【００２２】
この支持金具２の母屋材支持板２ａの中央には横長の凹部２ｄが形成されており、この凹部２ｄの中心には、既設の波形屋根材８から突出している屋根材固定ボルト７を挿通するボルト挿通孔２ｅが形成されている。そして、この凹部２ｄのボルト挿通孔２ｅを挟んで両側には、座金引き上げ用ネジ５，５を挿通する２つのネジ挿通孔２ｆ，２ｆが形成されており、凹部２ｄの深さは、座金引き上げ用ネジ５，５の頭部や屋根材固定ボルト７の上端が突き出さない深さとされている。尚、母屋材１０としてＣ形チャンネル材などを使用する場合は、座金引き上げ用ネジ５の頭部や屋根材固定ボルト７の上端が突き出していても、Ｃ形チャンネル材の開放部から内側に収容されて支障がでないため、上記の凹部２ｄを形成しないで母屋材支持板２ａにボルト挿通孔２ｅとネジ挿通孔２ｆ，２ｆを直接穿孔してもよい。
【００２３】
この支持金具２は、金属板をプレス加工及び曲げ加工して作製されるものであるが、強度のある合成樹脂で一体成形することも可能である。
【００２４】
座金３は、図１に示すように、両側に段差部３ａ，３ａを有する長方形の金属板の中央に、屋根材固定ボルト７を挿通する大径の開口３ｂを形成すると共に、その両側に前記の座金引き上げ用ネジ５，５をねじ込む２つのネジ孔３ｃ，３ｃを形成したものであり、上記の開口３ｂには、その口縁部から中心部上方に向かって斜めに突き出す４つのかしめ片３ｄが形成されている。なお、座金３のネジ孔３ｃや前記支持金具２のネジ挿通孔２ｆの個数は２つに限定されるものではなく、２つ以上、例えば４つのネジ孔２ｃを座金３の四隅に形成すると共に、これに対応して４つのネジ挿通孔２ｆを支持金具２の凹部２ｄの四隅に形成してもよい。
【００２５】
これらのかしめ片３ｄの相対向する先端間の間隔は、屋根材固定ボルト７のネジ山径よりもわずかに大きく設定されており、屋根材固定ボルト７をこれらのかしめ片３ｄの先端間に遊挿できるようになっている。また、図２〜図４に示すように、これらのかしめ片３ｄの先端側は、その傾斜角が徐々に小さくなるように湾曲しており、後述するように、かしめ片３ｄが開口３ｂの中心部の方にかしめられると、かしめ片３ｄの先端が屋根材固定ボルト７を略直角に押圧して、取付強度が一層向上するようになっている。かしめ片３ｄの個数は２つ以上であればよいが、この座金３のように４つのかしめ片３ｄが形成されたものは、２つ又は３つのかしめ片が形成されたものよりも、容易にかしめることができ、５つ以上のかしめ片が形成されたものよりも、強く屋根材固定ボルト６を押圧できる利点がある。
【００２６】
また、副座金４は、上記座金３と上記支持金具２の凹部２ｄの下面との間に介在させるものであって、上記座金３の両側の段差部３ａ，３ａに載置される脚片４ａ，４ａを両側に備えた略正方形の金属板の中央に、屋根材固定ボルト７を挿通する大径の開口４ｂが形成されており、この開口４bの口縁部から中心部上方に向かって斜めに突き出す４つのかしめ片４ｃが形成されている。そして、前記の座金３と同様に、かしめ片４ｃの相対向する先端間の間隔が屋根材固定ボルト７のネジ山径よりもわずかに大きく設定されて、屋根材固定ボルト７をこれらのかしめ片４ｃの先端間に遊挿できるようになっている。また、図２〜図４に示すように、これらのかしめ片４ｃの先端側は、その傾斜角が徐々に小さくなるように湾曲して、かしめ片４ｃが開口４ｂの中心部の方にかしめられたときに、かしめ片４ｃの先端によって屋根材固定ボルト７が略直角に強く押圧されるようになっている。
【００２７】
図１に示すように、この副座金４の４つのかしめ片４ｃと、前記座金３の４つのかしめ片３ｄは、上下に重なり合わないように、周方向に４５度ずれて形成されている。このようにかしめ片４ｃ，３ｄが４５度ずれていると、完全に重なり合っている場合に比べてかしめ易くなり、しかも、屋根材固定ボルト７がかしめ片４ｃ，３ｄの先端によって八方からほぼ均等に押圧されるため、固定強度が一層向上する利点がある。
【００２８】
補助金具６は、図１，図４に示すように、既設の波形屋根材８の山部８ａに載置される凸湾曲板６ａの両側端に、係合部として、外側斜め下方に屈曲する係合縁６ｂ，６ｂを水平部６ｂ，６ｂを介して一体に形成したものであって、凸湾曲板６ａの先端には屋根材固定ボルト７を導入する切欠部６ｄが形成されており、凸湾曲板６ａの後端には一対の切起こし片６ｅ，６ｅが設けられている。
【００２９】
この補助金具６の係合縁６ｂ，６ｂは、後述するように、屋根材固定ボルト７に螺合された締付ナット７ａの下側のワッシャ７ｂと既設の波形屋根材８との隙間に補助金具６を挿入したとき、支持金具２の脚板２ｂ，２ｂの下端の被係合縁２ｃ，２ｃに上方から係合して支持金具２の浮上を阻止し、屋根補修用金具の取付強度を更に高める役目を果たすものである。また、一対の切起こし片６ｅ，６ｅは、これをハンマーで叩きながら、補助金具６を既設の波形屋根材８とワッシャ７ｂとの間に挿入し易くするためのものである。尚、切欠部６ｄの開放先端側は、屋根材固定ボルト７を導入し易くするためにＶ形に切り欠かれている。
【００３０】
本発明の屋根補修構造は、上記の支持金具２、座金３、副座金４、座金引き上げ用ネジ５，５、補助金具６からなる本発明の屋根補修用金具１を用いて、次の要領で施工されるものである。まず、図２に示すように、既設の波形屋根材８から上方へ突出している屋根材固定ボルト７を、座金３の開口３ｂ（かしめ片３ｄの先端間）とその上の副座金４の開口４ｂ（かしめ片４ｃの先端間）に挿通し、更に、その上から支持金具２を被せてそのボルト挿通孔２ｅに屋根材固定ボルト７を挿通すると共に、支持金具２の一対の脚板２ｂ，２ｂを既設の波形屋根材８の谷部８ｂ，８ｂに載置する。
【００３１】
次いで、図３に示すように、支持金具２の２つのネジ挿通孔２ｆ，２ｆから座金３の２つのネジ孔３ｃ，３ｃに２本の座金引き上げ用ネジ５，５をねじ込んで座金３を引き上げ、副座金４の複数のかしめ片４ｃと座金３の複数のかしめ片３ｄを支持金具２の凹部２ｄの下面に圧接させて開口４ｂ，３ｂの中心部の方にかしめることにより、各かしめ片４ｃ，３ｄの先端で屋根材固定ボルト７を外側から略直角に押圧して強固に屋根補修用金具１を取付固定する。
【００３２】
そして、補助金具６の後端の切起こし片６ｅ，６ｅをハンマーで叩きながら、図４に示すように、補助金具６の凸湾曲板６ａを既設の波形屋根材８の山部８ａとワッシャ７ｂの隙間に挿入（圧入）して、屋根材固定ボルト７を切欠部６ｄに導入すると共に、補助金具６の両側端の係合縁６ｂ，６ｂを支持金具２の脚板２ｂ，２ｂの下端の被係合縁２ｃ，２ｃに上方から係合させることによって支持金具２の浮上を阻止し、屋根補修用金具１の取付強度を更に高める。
【００３３】
このようにして屋根補修用金具１の取付けが終わると、図４に示すように屋根補修用金具１の支持金具２の母屋材支持板２ａに母屋材１０を横架して止具（不図示）等で取付固定し、この母屋材１０の上に新たな屋根材９を屋根材固定ボルト等で張り付けて、本発明の屋根補修構造を完成する。尚、新たな屋根材９としては、安価で耐久性のある軽量な合成樹脂製の波板等が好適に使用され、母屋材９としては、強度のある長尺の板金やＣ形チャンネル材等が好適に使用される。
【００３４】
上記のように、この屋根補修用金具１は、座金３と副座金４の各かしめ片３ｄ，４ｃを開口３ｂ，４ｂの中心部の方にかしめて既設の屋根材固定ボルト７を外側から略直角に押圧して取付けるものであるため、屋根材固定ボルト７が錆びてネジ山やネジ溝がつぶれかけているような場合でも、確実かつ強固に屋根補修用金具１を取付けることができ、更に、補助金具６の係合縁６ｂ，６ｂを支持金具２の被係合縁２ｃ，２ｃに上方から係合させて支持金具２の浮上を阻止するため、屋根補修用金具１の取付強度を一層高めることができる。しかも、座金引き上げ用ネジ５，５を座金３のネジ孔３ｃ，３ｃにねじ込む作業と、補助金具６を既設の波形屋根材８とワッシャ７ｂの隙間に挿入する作業を行うだけで、屋根補修用金具１を簡単に取付けることができ、座金引き上げ用ネジ５，５をねじ込めばねじ込むほど、座金３や副座金４のかしめ片３ｄ，４ｃが開口３ｂ，４ｂの中心部の方へ大きくかしめられて屋根材固定ボルト７を強く押圧するため、一層強固に取付けることができる。従って、このような屋根補修用金具１を用いた屋根補修構造は、支持金具２の母屋材支持板２ａに母屋材１０を介して張り付けられた新たな屋根材９に風圧等が作用しても、屋根補修用金具１がガタついたり、屋根材固定ボルト７から外れたりする心配がなく、施工性も良好である。
【００３５】
尚、上記の副座金４を省略して、支持金具２と、座金３と、座金引き上げ用ネジ５，５と、補助金具６とで屋根補修用金具１を構成し、座金３のかしめ片３ｄで屋根材固定ボルト６を外側から押圧すると共に、補助金具６の係合縁６ｂ，６ｂを支持金具２の被係合縁２ｃ，２ｃに上方から係合させて取付固定してもよく、その場合も屋根補修用金具１を強固に取付けることができる。けれども、上記実施形態の屋根補修用金具１のように副座金４を組み込めば、座金３と副座金４の両方のかしめ片３ｄ，４ｃで屋根材固定ボルト７を二重に押圧して、屋根補修用金具１の取付強度を更に高めることができるので、極めて好ましい。
【００３６】
図５は支持金具の他の例を示す斜視図である。この支持金具２は、ボルト挿通孔２ｅ及びネジ挿通孔２ｆを形成する凹部２ｄが、母屋材支持板２ａの長さ方向一端側に偏位して設けられており、母屋材支持板２ａの中央部から他端側までの広い領域が母屋材の支持面として確保されている。その他の構成は前述した支持金具２と同様であるから、図５において同一部分に同一符号を付すにとどめ、重複する説明を省略する。
【００３７】
上記の支持金具２は、母屋材支持板２ａの中央部から他端側までの広い領域を母屋材の支持面として確保できるため、例えば、屋根材固定ボルト７が真横一列ではなく多少ジグザクに配列されている場合でも、屋根材固定ボルト７の位置ズレを広い支持面領域で吸収したり、支持金具２を１８０°回して吸収したりすることで、母屋材を確実に支持できる利点がある。
【００３８】
図６は本発明の他の実施形態に係る屋根補修用金具の分解斜視図、図７は同屋根補修用金具を用いた本発明の屋根補修構造を示す断面図である。
【００３９】
この屋根補修用金具１１も、支持金具２０と、座金３と、副座金４と、２本の座金引き上げ用ネジ５，５と、補強金具６０とで構成されたものであるが、支持金具２０や補強金具６０が前記の支持金具２や補強金具６と異なっている。
【００４０】
この支持金具２０は、図６に示すように、母屋材支持板２ａの中心線上に溝形の凹部２ｇが形成されており、この溝形の凹部２ｇの中心に屋根材固定ボルト７を挿通するボルト挿通孔２ｅが穿孔されると共に、その前後に座金引き上げ用ネジ５，５を挿通する２つのネジ挿通孔２ｆ，２ｆが穿孔されている。そして、この支持金具２０の左右の脚板２ｂ，２ｂの下端部は外側斜め下方へ屈曲して位置決め片２ｈ，２ｈが形成されており、図７に示すように既設の波形屋根材８の山部８ａを跨いでその両側の谷部８ｂ，８ｂに支持金具２０の左右の脚板２ｂ，２ｂを載置すると、位置決め片２ｈ，２ｈが波形屋根材８の斜面に当接して、支持金具２０が左右に動かないようになっている。また、この脚板２ｂ，２ｂには、後述する補助金具６０の係合部を係合させる被係合部として、切欠溝２ｉ，２ｉが補助金具６０の挿入側端部から切り込まれて形成されている。
【００４１】
一方、補助金具６０は、図６，図７に示すように、既設の波形屋根材８の山部８ａに載置される凸湾曲板６ａの両側端から上方に立ち上がる側板６ｆ，６ｆを形成したものであって、片方の側板６ｆの上端のほぼ後半部にはコ字形の断面形状を備えた係合耳縁６ｇが形成されており、もう片方の側板６ｆのほぼ後半部には鉤形の断面形状を備えた係合耳縁６ｈが形成されている。これらの係合耳縁６ｇ，６ｈは、既設の波形屋根材８とワッシャ７ｂとの隙間に補助金具６０を挿入したとき、支持金具２０の脚板２ｂ，２ｂの切欠溝２ｉ，２ｉに挿入されて上方から切欠溝２ｉ，２ｉに係合し、支持金具２の浮上を阻止して屋根補修用金具の取付強度を更に高める役目を果たすものである。また、凸湾曲板６ａの先端には、前記補助金具６と同様に、屋根材固定ボルト７を導入するための開放先端側がＶ形に広がった切欠部６ｄが形成されており、凸湾曲板６ａの後端には一対の切起こし片６ｅ，６ｅが設けられている。
【００４２】
座金３、副座金４、座金引き上げ用ネジ５，５は、前記の屋根補修用金具１のそれらと同じものであるから、図６、図７において同一部分に同一符号を付すにとどめ、重複する説明を省略する。尚、この屋根補修用金具１１においても、副座金４の省略は可能である。
【００４３】
このような屋根補修用金具１１は、次の要領で強固に取付けられる。まず、座金３を支持金具２０の凹部２ｇに沿う向きにして、座金３の開口３ｂ（かしめ片３ｄの先端間）に屋根材固定ボルト７を挿通すると共に、その上に副座金４を重ねて屋根材固定ボルト７を副座金４の開口４ｂ（かしめ片４ｃの先端間）に挿通し、更にその上から支持金具２０を被せて屋根材固定ボルト７を支持金具２０のボルト挿通孔２ｅに挿通する。次いで、支持金具２０の２つのネジ挿通孔２ｆ，２ｆから座金３の２つのネジ孔３ｃ，３ｃに２本の座金引き上げネジ５，５をねじ込んで座金３を引き上げ、副座金４の複数のかしめ片４ｃと座金３の複数のかしめ片３ｄを支持金具２の凹部２ｇの下面に圧接させて開口４ｂ，３ｂの中心部の方にかしめると、各かしめ片４ｃ，３ｄの先端が屋根材固定ボルト６を外側から略直角に押圧し、屋根補修用金具１１が強固に取付けられる。そして、補助金具６０の切起こし片６ｅ，６ｅをハンマーで叩きながら、その凸湾曲板６ａを既設の波形屋根材８の山部８ａとワッシャ７ｂの隙間に挿入（圧入）して、屋根材固定ボルト７を切欠部６ｄに導入すると共に、補助金具６０の係合耳縁６ｇ，６ｈを支持金具２０の脚板２ｂ，２ｂの切欠溝２ｉ，２ｉに挿入して上方から係合させ、支持金具２０の浮上を阻止して屋根補修用金具１１の取付強度を更に高める。このようにして屋根補修用金具１１の取付けが終わると、屋根補修用金具１１の支持金具２０の母屋材支持板２ａに母屋材１０を横架して止具（不図示）等で取付固定し、この母屋材１０の上に新たな屋根材９を屋根材固定ボルト等で張り付けて、本発明の屋根補修構造を完成する。
【００４４】
以上のような屋根補修用金具１１を使用した屋根補修構造も、前記の屋根補修用金具１を使用した屋根補修構造と同様の作用効果が得られることは言うまでもない。
【図面の簡単な説明】
【００４５】
【図１】本発明の一実施形態に係る屋根補修用金具の分解斜視図である。
【図２】座金引き上げ用ネジをねじ込む前の同屋根補修用金具の取付状態を示す断面図である。
【図３】座金引き上げ用ネジをねじ込んで同屋根補修用金具を取付固定した状態を示す断面図である。
【図４】同屋根補修用金具を用いた本発明の屋根補修構造を示す断面図である。
【図５】支持金具の他の例を示す斜視図である。
【図６】本発明の他の実施形態に係る屋根補修用金具の分解斜視図である。
【図７】同屋根補修用金具を用いた本発明の屋根補修構造を示す断面図である。
【符号の説明】
【００４６】
１、１１  屋根補修用金具
２，２０    支持金具
２ａ  母屋材支持板
２ｂ  脚板
２ｃ  被係合縁（被係合部）
２ｄ，２ｇ  凹部
２ｅ  ボルト挿通孔
２ｆ  ネジ挿通孔
２ｉ  切欠溝（被係合部）
３    座金
４    副座金
３ｂ，４ｂ  開口
３ｃ  ネジ孔
３ｄ，４ｃ  かしめ片
５    座金引き上げ用ネジ
６，６０  補助金具
６ｂ  係合縁（係合部）
６ｄ  切欠部
６ｇ  コ字形の断面形状を有する係合耳縁（係合部）
６ｈ  鉤形の断面形状を有する係合耳縁（係合部）
７    屋根材固定ボルト
７ａ  締付ナット
７ｂ  ワッシャ
８    既設の波形屋根材
８ａ  山部
８ｂ  谷部
９    新たな屋根材
１０  母屋材
【図１】
2008274591.tif 000003
【図２】
2008274591.tif 000004
【図３】
2008274591.tif 000005
【図４】
2008274591.tif 000006
【図５】
2008274591.tif 000007
【図６】
2008274591.tif 000008
【図７】
2008274591.tif 000009